(57)【特許請求の範囲】
【請求項１】
燃焼室に供給された燃料を圧縮自己着火して燃焼させるようにしたガソリン内燃機関において、
低オクタン価の燃料が供給される第１ノズル噴口と高オクタン価の燃料が供給される第２ノズル噴口とを有し、第２ノズル噴口を第１ノズル噴口の中心部に設けた１つの燃料噴射弁と、該燃料噴射弁に制御信号を出力する制御装置とを備え、
前記制御装置により機関の運転状態に応じて、機関低負荷運転では全燃料供給量のうち低オクタン価の燃料の占める割合を大きくする一方、機関高負荷運転では高オクタン価の燃料の供給量を増大して負荷が高まるほど全燃料供給量のうち高オクタン価の燃料の占める割合を大きくさせて、燃料のオクタン価を可変制御するようにし、
前記燃料噴射弁より高オクタン価の燃料噴霧を低オクタン価の燃料噴霧で包み込むように噴射して、該高オクタン価の燃料をその内部に包み込んだ低オクタン価の燃料を燃焼室の周壁付近又は燃焼室の中心付近を除く全体に分布するように供給し、高オクタン価の燃料を燃焼室の中心付近に分布するように供給し、燃焼室の周壁付近から中心に向かって燃焼を進行させた
ことを特徴とするガソリン内燃機関の燃料供給方法。
【請求項２】
燃料噴射弁から噴射供給される高オクタン価の燃料と低オクタン価の燃料の供給割合を、各燃料の燃圧を変えることにより変化させるようにしたことを特徴とする請求項１に記載のガソリン内燃機関の燃料供給方法。
【請求項３】
燃料噴射弁から噴射供給される低オクタン価の燃料は高めオクタン価の燃料と低めオクタン価の燃料の複数種類が用意され、機関低負荷域の低負荷側では低めオクタン価の燃料が供給され、機関低負荷域の高負荷側では高めオクタン価の燃料が供給されるように、複数種類の低オクタン価の燃料を機関低負荷域で負荷条件に応じて供給切換えするようにしたことを特徴とする請求項１又は２に記載のガソリン内燃機関の燃料供給方法。
【発明の詳細な説明】
【０００１】
【発明の属する技術分野】
本発明はガソリン内燃機関、とりわけ、燃焼室に供給された燃料を圧縮行程でピストンによる圧縮のみで高温化させて自己着火燃焼させるようにした、高圧縮比のガソリン内燃機関における燃料供給方法に関する。
【０００２】
【従来の技術】
ガソリン燃料を圧縮自己着火燃焼させる内燃機関では、単一オクタン価の燃料を用いていたのでは燃料の耐ノック性と着火性とが相剋するため、機関運転領域の高負荷側でのノッキング発生と低負荷側での燃焼の不安定化の何れかが犠牲とされて運転領域が限られてしまう。
【０００３】
そこで、機関の高負荷側では耐ノック性の良い高オクタン価の燃料を供給し、機関の低負荷側では着火性の良い低オクタン価の燃料を供給することによって、高負荷運転時のノッキング発生の抑制と低負荷運転時の燃焼安定性の確保とを両立させることが考えられる。
【０００４】
また、このようなオクタン価の異なる複数種類の燃料を供給する手段の一つとして、例えば特開平９−６８０６１号公報に示されているような異種燃料の予混合供給方法の採用が考えられる。
【０００５】
【発明が解決しようとする課題】
広い運転領域において安定したガソリン自己着火燃焼を実現させるためには、様々に変化する運転条件に応じて燃焼室の燃料のオクタン価を最適値にする必要があるが、前述のような異種燃料の予混合供給方法を採用して、高オクタン価の燃料と低オクタン価の燃料とを機関の運転状態に応じて燃料混合割合を可変制御するようにしたとしても、燃焼室の供給燃料のオクタン価を運転状態に合わせて直接的に可変制御できないため、運転条件の変化に対するレスポンスが悪く全運転域で安定したガソリン自己着火燃焼を実現することはできない。
【０００６】
そこで、本発明は機関運転状態に応じて速かに燃焼室の供給燃料のオクタン価を最適に可変制御することができて、広い運転領域で常に安定した圧縮自己着火燃焼を行わせることができるガソリン内燃機関の燃料供給方法を提供するものである。
【００１５】
【課題を解決するための手段】
請求項１の発明にあっては、燃焼室に供給された燃料を圧縮自己着火して燃焼させるようにしたガソリン内燃機関において、低オクタン価の燃料が供給される第１ノズル噴口と高オクタン価の燃料が供給される第２ノズル噴口とを有し、第２ノズル噴口を第１ノズル噴口の中心部に設けた１つの燃料噴射弁と、該燃料噴射弁に制御信号を出力する制御装置とを備え、前記制御装置により機関の運転状態に応じて、機関低負荷運転では全燃料供給量のうち低オクタン価の燃料の占める割合を大きくする一方、機関高負荷運転では高オクタン価の燃料の供給量を増大して負荷が高まるほど全燃料供給量のうち高オクタン価の燃料の占める割合を大きくさせて、燃料のオクタン価を可変制御するようにし、前記燃料噴射弁より高オクタン価の燃料噴霧を低オクタン価の燃料噴霧で包み込むように噴射して、該高オクタン価の燃料をその内部に包み込んだ低オクタン価の燃料を燃焼室の周壁付近又は燃焼室の中心付近を除く全体に分布するように供給し、高オクタン価の燃料を燃焼室の中心付近に分布するように供給し、燃焼室の周壁付近から中心に向かって燃焼を進行させたことを特徴としている。
【００１６】
請求項２の発明にあっては、請求項１に記載の燃料噴射弁から噴射供給される高オクタン価の燃料と低オクタン価の燃料の供給割合を、各燃料の燃圧を変えることにより変化させるようにしたことを特徴としている。
【００１７】
請求項３の発明にあっては、請求項１又は２に記載の燃料噴射弁から噴射供給される低オクタン価の燃料は、高めオクタン価の燃料と低めオクタン価の燃料の複数種類が用意され、低負荷域の低負荷側では低めオクタン価の燃料が供給され、低負荷域の高負荷側では高めオクタン価の燃料が供給されるように、複数種類の低オクタン価の燃料を低負荷域で負荷条件に応じて供給切換えするようにしたことを特徴としている。
【００３０】
【発明の効果】
請求項１に記載の発明によれば、低負荷運転時には全燃料供給量のうち着火性の良い低オクタン価の燃料の占める割合が大きくされるため、低負荷域での圧縮自己着火性が良好となって燃焼を安定化させることができる一方、高負荷運転時は負荷が高まるほど筒内温度が上昇してノッキング発生頻度が高まるが、この高負荷運転時には耐ノック性の良い高オクタン価の燃料の供給量を増大して負荷が高まるほど全燃料供給量のうち高オクタン価の燃料の占める割合を大きくさせるため、高負荷域でのノッキング発生を抑制することができる。
しかも、燃焼室に噴射供給される低オクタン価の燃料と高オクタン価の燃料の供給量を制御して、燃焼室の供給燃料のオクタン価を直接的に可変制御できるため、運転条件の変化に対するレスポンスが良好で各運転条件に最適なオクタン価とすることができて、低負荷域から高負荷域に亘る広い運転領域で安定した圧縮自己着火燃焼を行わせることができる。
また、本発明によれば、単一の燃料噴射弁によって低オクタン価の燃料と高オクタン価の燃料とを個別に燃焼室に供給するようにしてあるため、燃料噴射弁の配設レイアウトの自由度を高められると共にコスト的に有利に得ることができる。
【００３１】
また、高オクタン価の燃料噴霧を低オクタン価の燃料で包み込むように燃料噴射させるため、燃焼室の周辺に低オクタン価の燃料を、又、燃焼室の中心付近に高オクタン価の燃料を分布させる燃料の層状分布を確立でき、高負荷運転時に燃焼室の周壁付近から燃焼が始まって燃焼室中心へ向かって燃焼が進むノッキング発生のない圧縮自己着火燃焼を安定して行わせることができる。
また、本発明によれば、燃焼室の周辺又は全体に低オクタン価の燃料を分布させ、燃焼室の中心付近に低オクタン価の燃料を分布させるため、圧縮自己着火燃焼は低オクタン価の燃料より燃焼が始まることから、結果として圧縮自己着火燃焼は燃焼室の周壁付近から燃焼室の中心に向かって進行するようになってノッキング発生のない安定した燃焼を行なわせることができる。
【００３２】
請求項２に記載の発明によれば、請求項１の発明の効果に加えて、個別に噴射される燃料の圧力を可変とすることによって、高オクタン価の燃料と低オクタン価の燃料との供給割合を容易に制御することができる。
【００３３】
請求項３に記載の発明によれば、請求項１又は２の発明の効果に加えて、低負荷運転と高負荷運転との変化領域では、高めオクタン価の低オクタン価燃料が供給されるため、オクタン価の変化特性をなだらかにしてトルクショックを回避することができる。
【００３４】
【発明の実施の形態】
以下、本発明の実施形態を図面と共に詳述する。
【００３５】
図１において、１はシリンダブロック、２はピストン、３はシリンダヘッド、４はこれらシリンダブロック１，ピストン２，およびシリンダヘッド３で形成された燃焼室を示す。
【００３６】
シリンダヘッド３に設けられた吸気ポート５には、燃料を吸気弁６に向けて噴射させる吸気ポート燃料噴射弁７を配設してある。
【００３７】
この吸気ポート燃料噴射弁７には燃料タンク８に貯留した低オクタン価の燃料が燃料ポンプ９により送給される。
【００３８】
また、シリンダヘッド３には燃焼室４のほぼ中心位置に筒内燃料噴射弁１０を配設してあり、該筒内燃料噴射弁１０には燃料タンク１１に貯留した高オクタン価の燃料が燃料ポンプ１２により送給される。
【００３９】
吸気ポート燃料噴射弁７および筒内燃料噴射弁１０は、制御装置としてのエンジンコントロールユニット１３から出力される制御信号によっ作動制御され、吸気ポート燃料噴射弁７は吸気弁６が閉じている時期に、即ち、吸気行程でない時期に開弁作動されて低オクタン価の燃料を吸気弁６に指向して噴射し、また、筒内燃料噴射弁１０は機関の圧縮行程中に開弁作動されて高オクタン価の燃料を燃焼室４の中心部分に噴射する。
【００４０】
図２に示すグラフは機関の運転領域と前記各燃料噴射弁７，１０から供給される燃料噴射量の割合を示しており、低負荷域においては吸気ポート燃料噴射弁７から低オクタン価の燃料のみが噴射供給され、高負荷域においては低オクタン価の燃料の供給量が一定に保持される一方、筒内燃料噴射弁１０も開弁作動して高オクタン価の燃料が供給されて負荷の増大と共に供給量が増大し、全燃料供給量のうち高オクタン価の燃料の供給割合を大きくしている。
【００４１】
以上の実施形態の装置によれば、吸気ポート燃料噴射弁７から低オクタン価の燃料が、また、筒内燃料噴射弁１０から高オクタン価の燃料がそれぞれ個別に噴射供給されて、低負荷運転時には着火性の良い低オクタン価の燃料のみが供給されるため、低負荷域での圧縮自己着火性が良好となって燃焼を安定化させることができる。
【００４２】
また、高負荷運転時は負荷が高まるほど筒内温度が上昇してノッキング発生頻度が高まるが、高負荷域では低オクタン価の燃料の供給量が一定に保持される一方、筒内燃料噴射弁１０も開弁作動して耐ノック性の良い高オクタン価の燃料が供給されて負荷の増大と共にその供給量が増大し、全燃料供給量のうち高オクタン価の燃料の供給割合が大きくされるため、高負荷域でのノッキング発生を抑制することができる。
【００４３】
しかも、このように燃焼室４に個別に供給される低オクタン価の燃料と高オクタン価の燃料の供給量を制御して、燃焼室４の供給燃料のオクタン価を直接的に可変制御できるため、運転条件の変化に対するレスポンスが良好で図３に示すように各運転条件に最適なオクタン価とすることができて、低負荷域から高負荷域に亘る広い運転領域で安定した圧縮自己着火燃焼を行わせることができる。
【００４４】
ここで、特に本実施形態では前記吸気ポート燃料噴射弁７から低オクタン価の燃料を吸気弁５が閉じている時期に、即ち、吸気行程でない時期に該吸気弁６に指向して噴射させるため、燃焼室４より伝わる熱により十分に熱せられた吸気弁６により気化が促進され、吸気行程で吸気弁６が開弁することにより新気と十分に混合されてこの低オクタン価の燃料が燃焼室４の全体に広がって分布するようになる。
【００４５】
そして、高負荷域で筒内噴射弁１０から供給される高オクタン価の燃料は圧縮行程中に噴射されるため、ピストン２が上昇して圧縮自己着火燃焼が準備される時期に該高オクタン価の燃料を燃焼室４の中心付近に分布させることができる。
【００４６】
この結果、低負荷域での燃焼の安定性をより一層向上できると共に、高負荷域では燃焼室４の周辺の低オクタン価の燃料と、燃焼室４の中心付近の高オクタン価の燃料との層状分布が確立でき、ピストン２が更に上昇して燃焼室４内の圧力および温度が上昇すると、圧縮自己着火燃焼は低オクタン価の燃料より燃焼が始まることから、結果として圧縮自己着火燃焼は燃焼室４の周壁付近から燃焼室４の中心に向かって燃焼が進行するようになって、ノッキング発生のない安定した圧縮自己着火燃焼を行わせることができる。
【００４７】
また、このような機関の運転特性上の効果とは別に、吸気ポート５に低オクタン価の燃料を噴射する吸気ポート燃料噴射弁７を設け、燃焼室４に高オクタン価の燃料を噴射する筒内噴射弁１０を設けて、それぞれ専用の燃料噴射弁７，１０を吸気ポート５と燃焼室４とに分けて設置してあるめ、吸気ポート５の形状および燃焼室４の形状について特別な設計の必要がなく設計の自由度を高めることができる。
【００４８】
図４は本発明の第２実施形態を示すもので、この実施形態にあっては、燃焼室４の周壁の吸気弁６に近接した位置に第１の筒内燃料噴射弁１０Ａを配設すると共に、燃焼室４のほぼ中心位置に第２の筒内燃料噴射弁１０Ｂを配設し、第１の筒内燃料噴射弁１０Ａからは吸気行程中に低オクタン価の燃料を燃焼室４に噴射供給し、第２の筒内燃料噴射弁１０Ｂからは圧縮行程中に高オクタン価の燃料を燃焼室４に噴射供給するようにしてある。
【００４９】
これら低オクタン価の燃料と高オクタン価の燃料の供給割合は、前記図２に示した第１実施形態と同様に制御される。
【００５０】
従って、この第２実施形態の装置によれば、前記第１実施形態とほぼ同様の効果が得られる他、吸気行程中に第１の筒内燃料噴射弁１０Ａより低オクタン価の燃料を燃焼室４に供給するため、該低オクタン価の燃料を新気と十分に混合させて燃焼室１の全体に分布させることができることは勿論、吸気行程で噴射された低オクタン価の燃料の気化潜熱により吸気が冷やされて吸気量を増大させることができるから、実充填効率を高めて出力を向上することができる。
【００５１】
また、第１，第２の筒内燃料噴射弁１０Ａ，１０Ｂを比較的面積の広い燃焼室壁に設けてあるため、これら筒内燃料噴射弁１０Ａ，１０Ｂの配設レイアウトの自由度を高められ、特に、高オクタン価の燃料を噴射供給する第２の筒内燃料噴射弁１０Ｂを燃焼室４の中心部分に、および低オクタン価の燃料を噴射供給する第１の筒内燃料噴射弁を燃焼室４の周壁の吸気弁６近傍に配設することによって、燃焼室周辺に分布する低オクタン価の燃料と、燃焼室中心付近に分布する高オクタン価の燃料との層状分布を容易に行わせることができる。
【００５２】
図５，６は本発明の第３実施形態を示すもので、この実施形態にあっては、吸気ポート５の吸気弁６の近傍位置に第１の吸気ポート燃料噴射弁７Ａと第２吸気ポート燃料噴射弁７Ｂとを配設し、第１の吸気ポート燃料噴射弁７Ａからは吸気弁６が閉じている時期に低オクタン価の燃料を吸気弁６に指向して噴射供給し、第２の吸気ポート燃料噴射弁７Ｂからは吸気行程中に高オクタン価の燃料を吸気ポート５の燃焼室中心側に向けて噴射供給するようにしてある。
【００５３】
この第３実施形態の場合も低オクタン価の燃料と高オクタン価の燃料の供給割合を、前記図２に示した第１実施形態と同様に制御するようにしてある。
【００５４】
従って、この第３実施形態の装置によれば、低負荷運転時は第１の吸気ポート燃料噴射弁７Ａからのみ低オクタン価の燃料が噴射供給されるため、低負荷域での圧縮自己着火性が良好となって燃焼を安定化させることができる。
【００５５】
また、高負荷運転時は第１の吸気ポート燃料噴射弁７Ａから供給される低オクタン価の燃料の供給量が一定に保持される一方、第２の吸気ポート燃料噴射弁７Ｂも開弁作動して高オクタン価の燃料が供給されて負荷の増大と共にその供給量が増大し、全燃料供給量のうち高オクタン価の燃料の供給割合が大きくされるため、高負荷域でのノッキング発生を抑制でき、従って、前記第１実施形態と同様に低負荷域から高負荷域に亘る全運転域で応答性よくオクタン価を最適に制御できて、安定した圧縮自己着火燃焼を行わせることができる。
【００５６】
また、第１の吸気ポート燃料噴射弁７Ａから供給される低オクタン価の燃料は、吸気弁６が閉じている時期に吸気弁６に指向して噴射されるため、気化が促進されると共に吸気行程で新気と十分に混合させて燃焼室４の全体に広く分布させることができる一方、高負荷運転時に第２の吸気ポート燃料噴射弁７Ｂから供給される高オクタン価の燃料は、吸気行程中に燃焼室４の中心側に向けて噴射されることから、この第３実施形態の場合にあっても、低負荷域での燃焼の安定性をより一層向上できると共に、高負荷域では燃焼室４の周辺の低オクタン価の燃料と、燃焼室４の中心付近の高オクタン価の燃料との層状分布を確立でき、圧縮自己着火燃焼を燃焼室４の周壁付近から燃焼室４の中心に向かって進行させることができて、ノッキング発生のない安定した圧縮自己着火燃焼を行わせることができる。
【００５７】
また、低オクタン価の燃料を供給する燃料噴射弁７Ａと、高オクタン価の燃料を供給する燃料噴射弁７Ｂは吸気ポート５に配設して第１，第２の吸気ポート燃料噴射弁としてあるため、これら吸気ポート燃料噴射弁７Ａ，７Ｂが高い燃焼室圧力を受けることがなく、従って、燃焼室圧力に打ち勝つ高い燃圧を得るための高燃圧ポンプの必要がなく補機類のコスト的低減効果を得ることができる。
【００５８】
図７は本発明の第４実施形態を示すもので、本実施形態にあっては、燃焼室４の中心部分に１つの筒内燃料噴射弁１０Ｃを配設し、該筒内燃料噴射弁１０Ｃにより低オクタン価の燃料と高オクタン価の燃料とを個別に供給させ、低負荷運転時は全燃料供給量のうち低オクタン価の燃料の占める割合を大きくする一方、高負荷運転時は高オクタン価の燃料の供給量を増大して負荷が高まるほど全燃料供給量のうち高オクタン価の燃料の占める割合を大きくさせて、機関の運転状態に応じたオクタン価の可変制御を行わせるようにしてある。
【００５９】
この筒内燃料噴射弁１０Ｃは、図８に示すように、燃料ポンプ９により燃料タンク８から低オクタン価の燃料が供給される第１燃料通路２１と、該第１燃料通路２１端の第１ノズル噴口２２と、燃料ポンプ１２により燃料タンク１１から高オクタン価の燃料が供給される第２燃料通路２３と、該第２燃料通路２３端の第２ノズル噴口２４とを備えている。
【００６０】
ニードル２５には第１燃料通路２１を開閉する第１シール部２６と、第２燃料通路２３を開閉する第２シール部２７とを設けてある。
【００６１】
前記第２ノズル噴口２４は第１ノズル噴口２２の中心部に設定してあり、高オクタン価の燃料噴霧を低オクタン価の燃料噴霧で包み込むようにして燃料噴射を行うようにしてある。
【００６２】
図９は第１燃料通路２１に供給される低オクタン価の燃料と、第２燃料通路２３に供給される高オクタン価の燃料の燃圧特性を示している。
【００６３】
これら燃料の圧力は負荷条件に応じて回転制御される燃料ポンプ９，１２によって可変制御され、低オクタン価の燃料は図９のａ線に示すように低負荷域では負荷変化に比例して燃圧変化すると共に、高負荷域では燃圧が一定に保持される。
【００６４】
他方、高オクタン価の燃料は図９のｂ線に示すように低負荷域では低オクタン価の燃料の燃圧よりも低い一定の燃圧に保持されると共に、高負荷域では負荷の増大に伴って燃圧が大きく立上がり変化するようにしてある。
【００６５】
即ち、このように負荷に応じて燃料ポンプ９，１２による低オクタン価燃料および高オクタン価燃料の燃圧を変化させることにより、ニードル２５のリフト量が同一であっても結果的には図２に示した第１実施形態とほぼ同様の燃料噴射量の制御を行って、図３に示したオクタン価の可変制御を行なわせることができる。
【００６６】
従って、この第４実施形態の装置によれば、低負荷運転時は全燃料供給量のうち第１ノズル噴口２２から燃焼室４に噴射される低オクタン価燃料の占める割合が大きいため、低負荷域での圧縮自己着火性が良好となって燃焼を安定化させることができる。
【００６７】
他方、高負荷運転時は第２ノズル噴口２４から燃焼室４に噴射される高オクタン価燃料の供給量が増大し、負荷が高まるほど全燃料供給量のうち高オクタン価燃料の占める割合が大きくされるため、高負荷域でのノッキング発生を抑制でき、従って、第１実施形態と同様に低負荷域から高負荷域に亘る全運転域で応答性よくオクタン価を最適に制御できて、安定した圧縮自己着火燃焼を行わせることができる。
【００６８】
また、この高負荷域では第２ノズル噴口２４から噴射される高オクタン価の燃料噴霧を、該第２ノズル噴口２４の周囲の第１ノズル噴口２２から噴射される低オクタン価の燃料噴霧で図７に示すように包み込むようになるため、燃焼室４の周辺に低オクタン価の燃料が分布し、燃焼室４の中心付近に高オクタン価の燃料が分布する層状分布とさせることができ、この結果、圧縮自己着火燃焼を燃焼室４の周壁付近から燃焼室４の中心に向かって進行させることができて、ノッキング発生のない安定した圧縮自己着火燃焼を行わせることができる。
【００６９】
また、単一の筒内燃料噴射弁１０Ｃによって低オクタン価の燃料と高オクタン価の燃料とを個別に燃焼室４に供給するようにしてあるため、燃料噴射弁の配設レイアウトの自由度を高められると共にコスト的に有利に得ることができ、しかも、燃料ポンプ９，１２による燃料圧力を可変とすることによって、低オクタン価の燃料と高オクタン価の燃料との供給割合を容易に制御することができる。
【００７０】
前記各実施形態では低オクタン価と高オクタン価の２種類の燃料を供給制御して、低負荷運転時と高負荷運転時とでオクタン価を可変制御するようにしているが、この他、例えば図１１に示すように３種類のオクタン価の異なる燃料を供給制御することによって、低負荷域から高負荷域に変化する運転領域でオクタン価をなだらかに変化させるようにすることもできる。
【００７１】
図１０は前記図１１に示したオクタン価変化特性を得るための１つの例として挙げた第５実施形態を示している。
【００７２】
この第５実施形態では便宜的に図１に示した第１実施形態の構造、即ち、吸気ポート５に燃料ポンプ９により燃料タンク８から低オクタン価の燃料が供給される吸気ポート燃料噴射弁７を設ける一方、燃焼室４の中心部分に燃料ポンプ１２により燃料タンク１１から高オクタン価の燃料が供給される筒内燃料噴射弁１０を設けた構造、を基本構造としている。
【００７３】
前記吸気ポート燃料噴射弁７には切換弁３０の切換作動により、燃料ポンプ３２を介して燃料タンク３１から前記燃料タンク８の低オクタン価の燃料よりもオクタン価が高い低オクタン価燃料が供給されるようにしてある。
【００７４】
即ち、低負荷域では負荷条件によって低めオクタン価の低オクタン価燃料と高めオクタン価の低オクタン価燃料とをエンジンコントロールユニット１３による切換弁３０の切換作動により供給制御し、低負荷域の低負荷側では低めオクタン価の低オクタン価燃料を供給し、低負荷域の高負荷側となる低負荷域と高負荷域の変化領域で高めオクタン価の低オクタン価燃料を供給するようにしている。
【００７５】
このように低負荷域と高負荷域との変化領域で高めオクタン価の低オクタン価燃料を供給して、図１１に示すように前記変化領域でオクタン価の変化特性をなだらかにすることによって、トルクショックを回避して運転特性を安定化させることができる。
【００７６】
なお、この他、場合によって高オクタン価燃料として低めオクタン価と高めオクタン価の燃料を用意して、負荷条件によってこれら低めオクタン価燃料と高めオクタン価燃料とを供給切換させるようにすることもできる。
【図面の簡単な説明】
【図１】本発明の方法を実施する装置の第１実施形態を示す略示的説明図。
【図２】本発明の方法を実施する装置の第１実施形態における燃料噴射量の制御特性図。
【図３】本発明の方法を実施する装置の第１実施形態における燃料のオクタン価変化特性図。
【図４】本発明の方法を実施する装置の第２実施形態を示す略示的説明図。
【図５】本発明の方法を実施する装置の第３実施形態を示す略示的説明図。
【図６】図５の略示的平面説明図。
【図７】本発明の方法を実施する装置の第４実施形態を示す略示的説明図。
【図８】本発明の方法を実施する装置の第４実施形態に用いられる筒内燃料噴射弁の略示的断面説明図。
【図９】本発明の方法を実施する装置の第４実施形態の筒内燃料噴射弁により供給される燃料の燃圧特性図。
【図１０】本発明の方法を実施する装置の第５実施形態を示す略示的説明図。
【図１１】本発明の方法を実施する装置の第５実施形態における燃料のオクタン価変化特性図。
【符号の説明】
４  燃焼室
５  吸気ポート
６  吸気弁
７，７Ａ，７Ｂ  吸気ポート燃料噴射弁
１０，１０Ａ，１０Ｂ，１０Ｃ  筒内燃料噴射弁
１３  制御装置
【図１】
0004214586.tif 000002
【図２】
0004214586.tif 000003
【図３】
0004214586.tif 000004
【図４】
0004214586.tif 000005
【図５】
0004214586.tif 000006
【図６】
0004214586.tif 000007
【図７】
0004214586.tif 000008
【図８】
0004214586.tif 000009
【図９】
0004214586.tif 000010
【図１０】
0004214586.tif 000011
【図１１】
0004214586.tif 000012